(57)【要約】【課題】従来の地面撮り防止機能を備えるムービーの構成では、撮影姿勢が地面撮り状態であると判定された場合、たとえその撮影姿勢が撮影者の意図したものであったとしても、録画状態から停止状態への移行が発生してしまい、それを抑止する機能を持ったムービーでは、撮影時の操作が煩雑になるという課題があった。【解決手段】被写体を撮影する撮像手段１０２と、映像データを作成する映像データ作成部１０３と、映像データを記録する記録部１０４と、地面撮りであるかを判定し、映像データの記録を中止する地面撮り防止部１０５と、ユーザ操作により、地面撮りにおいて撮影を継続する地面撮り撮影継続状態への移行、及び前記地面撮り撮影継続状態の解除を行う地面撮り防止抑止部とを備える。【選択図】図１
2007221519.tif 000002
【特許請求の範囲】
【請求項１】
被写体を撮影する撮像手段と、
前記撮像手段からの信号により映像データを作成する映像データ作成部と、
前記映像データを記録する記録部と、
前記撮像手段の向きが撮影に適さない地面撮りであるかを判定し、前記記録部における前記映像データの記録を中止する地面撮り防止部と、
ユーザ操作により、前記地面撮りにおいて撮影を継続する地面撮り撮影継続状態への移行、及び前記地面撮り撮影継続状態の解除を行う地面撮り防止抑止部とを備えた映像記録装置。
【請求項２】
前記地面撮り防止抑止部は、前記地面撮りの撮影が所定時間継続したことにより、前記地面撮り撮影継続状態を解除する請求項１に記載の映像記録装置。
【請求項３】
前記地面撮り防止抑止部は、ユーザによる無操作が所定時間継続したことにより、前記地面撮り撮影継続状態を解除する請求項１または２に記載の映像記録装置。
【発明の詳細な説明】
【技術分野】
【０００１】
本発明はムービーなどの映像記録装置に関するものである。
【背景技術】
【０００２】
近年、ムービーの普及による利用者層の拡大に伴い、撮影者の意図しない操作により、記録を望まないシーンを記録し続け、バッテリや記録媒体の記録容量を消費し、本来記録したいシーンを記録できないといったトラブルが増加している。これは「地面撮り」と呼ばれるものであり、撮影終了後に撮影の停止ボタンを押すのを忘れたり、撮影停止後に誤って撮影開始ボタンを押したことによって、ムービーを手に提げる等の状態のまま、記録が継続され、意味のない地面等の被写体を延々記録してしまうことにより発生する。
【０００３】
このような地面撮りを防止するための機能を備えた従来のムービーの構成を図２に示す（特許文献１）。
【０００４】
ムービー２０１は、撮像部２０２と、映像データ作成部２０３と、記録部２０４と、地面撮り防止部２０５とを備える。撮像部２０２は、レンズに写った光景を撮影する。映像データ作成部２０３は、撮像部２０２により撮影された光景から映像データを作成する。記録部２０４は、映像データ作成部２０３により作成された映像データを記録する。地面撮り防止部２０５は、ムービー２０１の姿勢を検出し、ムービー２０１の姿勢が撮影に適した状態か、あるいは適さない状態かを判定し、ムービー２０１の姿勢が撮影に適さない状態であると判定した場合には、記録部２０４に対して記録停止要求を通知する。
【０００５】
図３は、従来のムービー２０１における地面撮り防止部２０５の制御アルゴリズムを示したものである。地面撮り防止部２０５は、ステップ３０１でムービー２０１の姿勢を検出し、次のステップ３０２で、ステップ３０１で検出したムービー２０１の姿勢が下向きであり地面しか撮れないといった通常の撮影には不適切な状態であるか否かを判定する。ムービー２０１の姿勢が撮影に不適切な状態ではない場合には再度ステップ３０１に戻り、ムービー２０１の姿勢が撮影に不適切な状態である場合にはステップ３０３により記録部２０４に記録停止要求を通知し、それからステップ３０１に戻る。
【０００６】
図４は、従来のムービー２０１における記録部２０４の制御アルゴリズムを示したものである。記録部２０４は、ステップ４０１で地面撮り防止部２０５から記録停止要求通知が届いているか否かを判定し、届いていなかった場合には再度ステップ４０１に戻り、届いていた場合にはステップ４０２により、現在映像データ作成部２０３から送られてくる映像データを記録中でない場合には再度ステップ４０１に戻り、記録中である場合にはステップ４０３により記録部２０４自身による映像データの記録を停止し、その後ステップ４０１に戻る。
【０００７】
図５は、従来の地面撮り防止機能を備えるムービー２０１において、ムービー２０１が停止状態であった場合の地面撮り防止機能の動作を表しており、水平軸を時間軸として、ムービー２０１の姿勢の変化により、どのようにムービー２０１の動作が変化するかをタイミング・チャートで表している。図５において、２本ある実線のうち上側に描かれたものは、時刻ｔ１において、ムービー２０１の撮影姿勢が撮影に適した姿勢から地面撮り状態となるような姿勢へと変化したことを表し、更に引き続く時刻ｔ２において、ムービー２０１の撮影姿勢が地面撮り状態の姿勢から撮影に適した姿勢へと復帰したことを表している。時刻ｔ１において、地面撮り防止部２０５は記録部２０４に記録停止要求を通知する。しかしながら記録部２０４は録画動作をおこなっていないため、この記録停止要求の通知は記録部２０４の作動になんら影響を及ぼさない。更に引き続く時刻ｔ２において、地面撮り防止部２０５は記録部２０４に通知していた記録停止要求の通知を取りやめるが、これも時刻ｔ１の場合と同様に、停止状態である記録部２０４の作動には影響を及ぼさない。
【０００８】
図６は、従来の地面撮り防止機能を備えるムービー２０１において、ムービー２０１が録画状態であった場合の地面撮り防止機能の作動を表している。図６は、図５と同様に、水平軸を時間軸として、ムービー２０１の姿勢の変化によりどのようにムービー２０１の作動が変化するかをタイミング・チャートの形で表したものである。図６において、２本ある実線のうち上側に描かれたものは、時刻ｔ３において、ムービー２０１の撮影姿勢が撮影に適した姿勢から地面撮り状態となるような姿勢へと変化したことを表し、更に引き続く時刻ｔ４において、ムービー２０１の撮影姿勢が地面撮り状態の姿勢から撮影に適した姿勢へと復帰したことを表している。時刻ｔ３において、地面撮り防止部２０５は記録部２０４に記録停止要求を通知する。その通知により、記録部２０４はおこなっていた録画動作を取りやめ、停止状態に移行する。更に引き続く時刻ｔ４において、地面撮り防止部２０５は記録部２０４に通知していた記録停止要求の通知を取りやめるが、一旦停止状態となった記録部２０４の作動には影響を及ぼさない。
【０００９】
このように、従来の構成の地面撮り防止ムービー２０１における地面撮り防止機能とは、ムービー２０１の撮影姿勢が地面撮り状態であると判定された際に、ムービー２０１が録画状態であるなら、これを停止状態に変更するものである。
【００１０】
しかしながら、従来の地面撮り防止機能を備えるムービー２０１の構成では、ムービー２０１の撮影姿勢が地面撮り状態であるとムービー２０１によって判定された場合、たとえその撮影姿勢が撮影者の意図したものであったとしても、録画状態から停止状態への移行が発生してしまう課題があった。
【００１１】
このような課題に対して、特許文献２に開示されたムービーでは、地面撮り姿勢の判定後直ちに録画状態から停止状態に移行させるのではなく、タイマーを作動させることにより、地面撮り姿勢の判定から録画作動の変更措置まで一定時間の猶予を設け、その間に地面撮り防止機能による録画状態から停止状態への移行を、ボタン押下操作などにより抑止する機能により解決する技術が開示されている。
【特許文献１】特開平５−３２８１７７号公報
【特許文献２】特開平８−２７５０３３号公報
【発明の開示】
【発明が解決しようとする課題】
【００１２】
しかしながら、上記改善された地面撮り防止機能を備えるムービーによっても、撮影者は都度、地面撮り防止機能による録画状態から停止状態への移行を抑止する操作を行わなければならず、撮影時の操作が煩雑になるとともに、抑止する操作により撮影中のムービーがブレる、という課題があった。
【００１３】
本発明はこのような点に鑑みなされたものであり、地面撮り防止機能を備えるムービーにおいて、地面撮り防止機能の使い勝手を向上させることで、使いやすいムービーを提供することを目的とする。
【課題を解決するための手段】
【００１４】
上記課題を解決するために、本発明の映像記録装置は、被写体を撮影する撮像手段と、前記撮像手段からの信号により映像データを作成する映像データ作成部と、前記映像データを記録する記録部と、前記撮像手段の向きが撮影に適さない地面撮りであるかを判定し、前記記録部における前記映像データの記録を中止する地面撮り防止部と、ユーザ操作により、前記地面撮りにおいて撮影を継続する地面撮り撮影継続状態への移行、及び前記地面撮り撮影継続状態の解除を行う地面撮り防止抑止部とを備える。
【００１５】
前記地面撮り防止抑止部は、前記地面撮りの撮影が所定時間継続したことにより、前記地面撮り撮影継続状態を解除するとしてもよい。
【００１６】
前記地面撮り防止抑止部は、ユーザによる無操作が所定時間継続したことにより、前記地面撮り撮影継続状態を解除するとしてもよい。
【発明の効果】
【００１７】
このような構成により、地面撮り防止機能を備えるムービーを用いて撮影録画を行う際、撮影者が記録中になんら煩雑な操作を行うことなくとも、撮影者の自由に意図する映像録画が可能で、かつ地面撮り防止機能も効果的に使用することが出来る。
【発明を実施するための最良の形態】
【００１８】
以下、本発明の実施の形態を図面に基づいて詳細に説明する。
（実施の形態１）
図１は、本発明の実施の形態１における地面撮り防止機能を備えるムービーの構成図である。
【００１９】
ムービー１０１は、撮像部１０２と、映像データ作成部１０３と、記録部１０４と、地面撮り防止部１０５と、地面撮り防止機能抑止指示部１０６と、地面撮り防止機能抑止判定部１０７と、地面撮りＯＮ／ＯＦＦ制御部１０８とを備える。
【００２０】
撮像部１０２は、レンズに写った光景を撮影する。映像データ作成部１０３は、撮像部１０２により撮影された光景から映像データを作成する。記録部１０４は、映像データ作成部１０３により作成された映像データを記録する。地面撮り防止部１０５は、ムービー１０１の姿勢を検出し、ムービー１０１の姿勢が撮影に適した状態か、あるいは適さない状態かを判定するとともに、ムービー１０１の姿勢が撮影に適さない状態であると判定された場合に、地面撮りＯＮ／ＯＦＦ制御部１０８に対して記録停止要求を通知する。
【００２１】
地面撮り防止機能抑止指示部１０６は、撮影者のボタン等操作による地面撮り禁止・許可の指示入力を検出するとともに、録画や停止といったムービー１０１の動作状態を検出し、地面撮り防止機能抑止判定部１０７に対して、地面撮りの禁止・許可を通知する。
【００２２】
地面撮り防止機能抑止判定部１０７は、ムービー１０１の動作状態の継続時間を計測するとともに、地面撮り防止機能抑止指示部１０６から地面撮り禁止・許可の指示を受け取り、ムービー１０１の動作状態や地面撮り禁止・許可の指示通知から、地面撮り防止機能を抑止すべきか否かを判定する。判定結果である地面撮り防止機能ＯＮ・ＯＦＦの指示を、地面撮りＯＮ／ＯＦＦ制御部１０８に通知する。
【００２３】
地面撮りＯＮ／ＯＦＦ制御部１０８は、地面撮り防止機能抑止判定部１０７から受け取った地面撮り防止機能ＯＮ・ＯＦＦ通知に基づき、地面撮り防止部１０５から受け取った記録停止要求を、記録部１０４に渡すか否か制御する。
【００２４】
以上のように構成されたムービー１０１について、以下その動作を説明する。
【００２５】
本実施の形態では、停止ボタンを用いて、地面撮り許可／禁止の設定を行う。図７は、本発明の実施形態における地面撮り防止機能抑止指示部１０６の制御アルゴリズムを示したものである。地面撮り防止機能抑止指示部１０６は、ステップ７０１でムービー１０１の停止ボタンが押下されているか否かを判定し、押されていなかった場合には再度ステップ７０１に戻り、押されていた場合にはステップ７０２により、記録部１０４が保持する状態を基に、現在ムービー１０１が停止状態にあるか否かを判定し、停止状態でなかった場合には再度ステップ７０１に戻り、停止状態であった場合にはステップ７０３により、現在ムービー１０１が地面撮り許可の状態にあるか否かを判定する。判定した状態が地面撮り許可の状態でない場合は、地面撮り防止機能抑止判定部１０７に地面撮りの許可を通知し（ステップ７０４）、地面撮り許可状態であることを撮影者に通知する（ステップ７０６）。一方、地面撮り許可の状態である場合には、地面撮り防止機能抑止判定部１０７に地面撮りの禁止を通知し（ステップ７０５）、地面撮り禁止状態であることを撮影者に通知した（ステップ７０７）後に、ステップ７０１に戻る。地面撮り許可／禁止状態の撮影者への通知は、ＥＶＦや液晶部等への状態表示等により行う。
【００２６】
図８は、本発明の実施形態における地面撮り防止機能抑止判定部１０７の制御アルゴリズムを示したものである。地面撮り防止機能抑止判定部１０７は、ステップ８０１で地面撮り防止抑止指示部１０６から地面撮りを許可する通知が届いているか否かを判定し、届いていた場合は、ステップ８０２によりムービー１０１を地面撮り許可の状態とし、続くステップ８０３で地面撮りＯＮ／ＯＦＦ制御部１０８に地面撮り防止機能ＯＦＦを通知する。ステップ８０１で地面撮りを許可する通知が届いていないと判定した場合は、ムービー１０１を地面撮り禁止の状態とし（ステップ８０４）、地面撮りＯＮ／ＯＦＦ制御部１０８に地面撮り防止機能ＯＮを通知する（ステップ８０５）。
【００２７】
その後ステップ８０６にてムービー１０１が一定時間以上地面撮りの録画状態を継続しているか否かを、地面撮り防止部１０５が保持する地面撮り姿勢か否かの情報、及び録画部１０４が保持する録画中か否かの情報を基に判定する。一定時間以上地面撮りの録画状態が継続している場合には、ステップ８０８により、ムービー１０１を地面撮り禁止の状態とし、続くステップ８０９で地面撮りＯＮ／ＯＦＦ制御部１０８に地面撮り防止機能ＯＮを通知し、地面撮り禁止状態であることを撮影者に通知した（ステップ８１０）後に、ステップ８０１に戻る。一定時間以上地面撮りの録画状態が継続していない場合には、ステップ８０１に戻る
図９は、本発明の実施形態における地面撮りＯＮ／ＯＦＦ制御部１０８の制御アルゴリズムを示したものである。地面撮り防止機能抑止指示部１０６は、ステップ９０１で地面撮り防止部１０５から記録停止要求の通知が届いているか否かを判定し、届いていなかった場合には再度ステップ９０１に戻り、届いていた場合にはステップ９０２により、地面撮り防止機能抑止判定部１０７から地面撮り防止機能ＯＮ指示が届いているか否かを判定し、届いていなかった場合には再度ステップ９０１に戻り、届いていた場合にはステップ９０３により、地面撮り防止部１０５から届いた記録停止要求を記録部１０４に通知し、ステップ９０１に戻る。
【００２８】
次に、上記各構成要素のアルゴリズムに基づく、ムービー１０１全体の動作について説明する。図１０は、停止状態にある本発明のムービー１０１において、停止ボタンを２回押下した場合の動作を表しており、水平軸を時間軸として、ムービー１０１が停止状態から、停止ボタンの押下により、どのようにムービー１０１の地面撮り許可状態が変化するかをタイミング・チャートの形で表している。
【００２９】
図１０では、時刻ｔ５において停止ボタンが押下されたことを表している。このとき地面撮り防止機能抑止指示部１０６は、ムービー１０１が地面撮り禁止状態であることを検出して、地面撮り防止機能抑止判定部１０７に地面撮りの許可を通知する。地面撮り防止機能抑止判定部１０７は、通知された地面撮りの許可に基づき、ムービー１０１を地面撮り許可の状態にするとともに、地面撮りＯＮ／ＯＦＦ制御部１０８に地面撮り防止機能ＯＦＦを通知する。地面撮り防止機能ＯＦＦを通知された地面撮りＯＮ／ＯＦＦ制御部１０８は、地面撮り防止部１０５から記録停止要求の通知があっても記録部１０４への通知は行わない。ただし本実施の形態では、ムービー１０１は停止状態にあるので、ムービー１０１の録画・停止といった状態は影響を受けない。
【００３０】
図１０では、引き続く時刻ｔ６において、更に停止ボタンが押下されたことを表している。このとき地面撮り防止機能抑止指示部１０６は、ムービー１０１が地面撮り許可状態であることを検出して、地面撮り防止機能抑止判定部１０７に地面撮りの禁止を通知する。地面撮り防止機能抑止判定部１０７は、通知された地面撮りの禁止に基づき、ムービー１０１を地面撮り禁止の状態にし、地面撮りＯＮ／ＯＦＦ制御部１０８に地面撮り防止機能ＯＮを通知する。地面撮り防止機能ＯＮを通知された地面撮りＯＮ／ＯＦＦ制御部１０８は、地面撮り防止部１０５から記録停止要求の通知があると、記録部１０４にその通知を行う。ただし本実施の形態では、ムービー１０１は停止状態にあるので、ムービー１０１の録画・停止といった状態は影響を受けない。
【００３１】
このように、本実施の形態では、撮影者はムービー１０１の地面撮り禁止／許可状態の切り替えを、ムービー１０１が停止している状態で停止ボタンの押下することで、交互に選択することが出来る。
【００３２】
図１１は、録画状態にある本発明のムービー１０１において、撮影者が、地面撮り許可状態であるムービー１０１を、録画撮影中に地面撮りの姿勢とし、その後通常の撮影姿勢に戻した場合の作動を表している。図１１は、水平軸を時間軸として、ムービー１０１が録画状態にあるとき、ムービー１０１の姿勢の変化により、どのようにムービー１０１の録画・停止状態が変化するかをタイミング・チャートの形で表したものである。
【００３３】
図１１では、時刻ｔ７において撮影者がムービー１０１を通常の撮影姿勢から地面撮りの姿勢に変更したことを表している。この時刻ｔ７時点でムービー１０１は既に地面撮り許可状態であり、地面撮りＯＮ／ＯＦＦ制御部１０８は、既に地面撮り防止機能抑止判定部１０７より地面撮り防止機能ＯＦＦを通知されていることになる。地面撮り防止部１０５は、時刻ｔ７においてムービー１０１の撮影姿勢が適正姿勢から地面撮り姿勢へと変化したことを検出し、ムービー１０１の地面撮りＯＮ／ＯＦＦ制御部１０８に記録停止要求の通知を行う。しかしながら地面撮り防止機能ＯＦＦを通知されている地面撮りＯＮ／ＯＦＦ制御部は記録停止要求の通知を記録部１０４に対して行わないため、時刻ｔ７においてもムービー１０１の録画状態は継続される。
【００３４】
図１１では、引き続く時刻ｔ８において、ムービー１０１の地面撮り姿勢が終了し、通常の撮影姿勢に戻ったことを表している。このとき地面撮り防止部１０５は、ムービー１０１が通常の撮影姿勢に戻ったことを検出し、ムービー１０１の地面撮りＯＮ／ＯＦＦ制御部１０８に対し行っていた記録停止要求の通知をとりやめるが、この場合も記録部１０４の作動には影響を及ぼさない。
【００３５】
このように、本実施の形態では、撮影者が地面撮り許可の状態にあるムービー１０１を用いて録画撮影を行い、その間に撮影者がムービー１０１を地面撮り姿勢にしたとしても録画が中断することなく、撮影者は自由な方向の撮影をおこなうことが出来る。
【００３６】
図１２は、録画状態にある本発明のムービー１０１において、撮影者が、地面撮り許可状態であるムービー１０１を、録画撮影中に地面撮りの姿勢とし、そのまま放置した場合の作動を表している。図１２は、水平軸を時間軸として、ムービー１０１が録画状態にあるとき、ムービー１０１の姿勢の変化、及びその後の時間の経過により、どのようにムービー１０１の地面撮り許可状態が変化するかをタイミング・チャートの形で表したものである。
【００３７】
図１２では、時刻ｔ９において撮影者がムービー１０１を通常の撮影姿勢から地面撮りの姿勢に変更したことを表している。この時刻ｔ９時点でムービー１０１は既に地面撮り許可状態であり、地面撮りＯＮ／ＯＦＦ制御部１０８は、既に地面撮り防止機能抑止判定部１０７より地面撮り防止機能ＯＦＦを通知されていることになる。地面撮り防止部１０５は、時刻ｔ９におけるムービー１０１撮影姿勢の適正姿勢から地面撮り姿勢への変化を検出し、ムービー１０１の地面撮りＯＮ／ＯＦＦ制御部１０８に記録停止要求の通知をおこなう。しかしながら地面撮り防止機能ＯＦＦを通知されている地面撮りＯＮ／ＯＦＦ制御部はその記録停止要求の通知を記録部１０４に対して行わないため、時刻ｔ９においてもムービー１０１の録画状態は継続される。
【００３８】
図１２では、時刻ｔ９から時間Ｔｏｕｔ１が経過し、時刻ｔ１０となったことを表している。地面撮り防止機能抑止判定部１０７は、地面撮り許可状態となったムービー１０１がどれだけの時間、地面撮りの録画状態を継続しているかを監視しており、ある一定の時間（本実施の形態ではＴｏｕｔ１）継続して地面撮りの録画状態であった場合には、ムービー１０１を再度地面撮り禁止の状態にし、地面撮りＯＮ／ＯＦＦ制御部１０８に地面撮り防止機能ＯＮを通知する。地面撮り防止機能ＯＮを通知された地面撮りＯＮ／ＯＦＦ制御部１０８は、時刻ｔ９から地面撮り防止部１０５より通知されている記録停止要求を、記録部１０４に通知することになる。その通知を受け取った記録部１０４は行っていた録画動作を取りやめ、停止状態に移行する。
【００３９】
このように、本実施の形態では、撮影者が地面撮り許可の状態にあるムービー１０１を用いて録画撮影を行い、その間に撮影者がムービー１０１を地面撮り姿勢にし、そのまま放置しても、自動的にムービー１０１の地面撮り許可の状態はキャンセルされ、地面撮り禁止の状態に復帰するとともに、録画状態から停止状態へと移行する。これにより、たとえ撮影者が地面撮り許可の状態にしたムービー１０１を、地面撮り状態のまま録画状態の停止を忘れたとしても、一定時間後には地面撮り防止機能が働き停止状態となるフェイルセーフになっている。
（実施の形態２）
実施の形態２におけるムービー１０１の構成は、図１と同様であり、各構成要素の説明は省略する。実施の形態１との相違点は、地面撮り防止機能抑止指示部１０６における地面撮り許可・禁止の状態を変更する際の操作、及び地面撮り防止機能抑止判定部１０６における制御アルゴリズムである。
【００４０】
本実施の形態では、地面撮り許可専用ボタンを用いて、地面撮り許可／禁止の設定を行う。図１３は、地面撮り防止機能抑止指示部１０６の制御アルゴリズムを示したものである。地面撮り防止機能抑止指示部１０６は、ステップ７１１でムービー１０１の地面撮り許可専用ボタンが押下されているか否かを判定し、押されていなかった場合には再度ステップ７１１に戻り、押されていた場合にはステップ７１３により、現在ムービー１０１が地面撮り許可の状態にあるか否かを判定する。判定した状態が地面撮り許可の状態でない場合は、地面撮り防止機能抑止判定部１０７に地面撮りの許可を通知し（ステップ７１４）、地面撮り許可状態であることを撮影者に通知する（ステップ７１６）一方、地面撮り許可の状態である場合には、地面撮り防止機能抑止判定部１０７に地面撮りの禁止を通知し（ステップ７１５）、地面撮り禁止状態であることを撮影者に通知した（ステップ７１７）後に、ステップ７１１に戻る。地面撮り許可／禁止の状態の撮影者への通知は、ＥＶＦや液晶部等への現状態の表示により行う。
【００４１】
このように、本実施の形態では、地面撮り許可専用ボタンを設けることにより、ムービー１０１が停止状態あるいは録画状態であるかに関わらず、撮影者が望んだタイミングで、地面撮り許可の状態に移行することができ、撮影者は自由に意図する映像録画を行うことができる。
【００４２】
図１４は、本発明の実施形態における地面撮り防止機能抑止判定部１０７の制御アルゴリズムを示したものである。地面撮り防止機能抑止判定部１０７は、ステップ８１１で地面撮り防止抑止指示部１０６から地面撮りを許可する通知が届いているか否かを判定し、届いていた場合は、ステップ８１２によりムービー１０１を地面撮り許可の状態とし、続くステップ８１３で地面撮りＯＮ／ＯＦＦ制御部１０８に地面撮り防止機能ＯＦＦを通知する。そしてステップ８１６にてムービー１０１が一定時間以上地面撮りの録画状態を継続しているか否かを判定し、一定時間以上地面撮りの録画状態が継続している場合には、ステップ８１８によりムービー１０１を地面撮り禁止の状態とし、続くステップ８１９で地面撮りＯＮ／ＯＦＦ制御部１０８に地面撮り防止機能ＯＮを通知し、地面撮り禁止状態であることを撮影者に通知した（ステップ８２０）後に、ステップ８１１に戻る。
【００４３】
また、ステップ８１６にてムービー１０１が一定時間以上地面撮りの録画状態を継続していると判定されなかった場合は、ステップ８１７にてムービー１０１が一定時間以上停止状態であるか否かを判定し、一定時間以上停止状態であった場合は、ステップ８１８により、ムービー１０１を地面撮り禁止の状態とし、続くステップ８１９で地面撮りＯＮ／ＯＦＦ制御部１０８に地面撮り防止機能ＯＮを通知し、ステップ８１１に戻る。ステップ８１７にて一定時間以上停止状態であったと判定されなかった場合には、そのままステップ８１１に戻る。
【００４４】
ステップ８１１にて地面撮り防止抑止指示部１０６から地面撮りを許可する通知が届いていると判定されなかった場合は、ステップ８１４にてムービー１０１を地面撮り禁止の状態とし、続くステップ８１５で地面撮りＯＮ／ＯＦＦ制御部１０８に地面撮り防止機能ＯＮを通知し、ステップ８１１に戻る。
【００４５】
図１５は、停止状態にある本発明のムービー１０１において、地面撮り許可専用ボタンを１回押下し、そのまま放置した場合の作動を表している。図１５は、水平軸を時間軸として、ムービー１０１が停止状態にあるとき、地面撮り許可専用ボタンの押下、及びその後の時間の経過により、どのようにムービー１０１の地面撮り許可状態が変化するかをタイミング・チャートの形で表したものである。
【００４６】
図１５では、時刻ｔ１１において地面撮り許可専用ボタンが押下されたことを表している。このとき地面撮り防止機能抑止指示部１０６は、ムービー１０１が地面撮り禁止状態であることを検出して、地面撮り防止機能抑止判定部１０７に地面撮りの許可を通知する。地面撮り防止機能抑止判定部１０７は、通知された地面撮りの許可に基づき、ムービー１０１を地面撮り許可の状態にし、地面撮りＯＮ／ＯＦＦ制御部１０８に地面撮り防止機能ＯＦＦを通知する。地面撮り防止機能ＯＦＦを通知された地面撮りＯＮ／ＯＦＦ制御部１０８は、地面撮り防止部１０５から記録停止要求の通知があっても記録部１０４にその通知を行わない。ただし本実施の形態では、ムービー１０１は停止状態にあるので、ムービー１０１の録画・停止といった状態は影響を受けない。
【００４７】
図１５では、時刻ｔ１１から時間Ｔｏｕｔ２経過し、時刻ｔ１２となったことを表している。地面撮り防止機能抑止判定部１０７は、地面撮り許可状態となったムービー１０１がどれだけの時間、ユーザ無操作状態が継続しているかを監視しており、ある一定の時間（本実施の形態ではＴｏｕｔ２）継続してユーザ無操作状態であった場合には、ムービー１０１を再度地面撮り禁止の状態にし、地面撮りＯＮ／ＯＦＦ制御部１０８に地面撮り防止機能ＯＮを通知する。地面撮り防止機能ＯＮを通知された地面撮りＯＮ／ＯＦＦ制御部１０８は、地面撮り防止部１０５から記録停止要求の通知があると記録部１０４にその通知を行う。ただし本実施の形態では、ムービー１０１は停止状態にあるので、ムービー１０１の録画・停止といった状態は影響を受けない。
【００４８】
このように、本実施の形態では、撮影者がムービー１０１を地面撮り許可の状態に切り替えた後、そのまま無操作状態で一定の時間放置すると、自動的にムービー１０１の地面撮り許可の状態はキャンセルされ、地面撮り禁止の状態に復帰する。これにより撮影者が地面撮り許可の状態に切り替えたことを忘れてしまったり、あるいは操作ミスにより、ムービー１０１が地面撮り許可の状態のままになってしまうことがないフェイルセーフとなっている。
【００４９】
図１６は、録画状態にある本発明のムービー１０１において、撮影者が、地面撮り許可状態であるムービー１０１を、録画撮影終了後に地面撮り許可状態を地面撮り禁止状態に変更せず、そのまま放置した場合の作動を表している。図１６は、水平軸を時間軸として、ムービー１０１が録画状態にあるとき、ムービー１０１の録画・停止状態の変化、及びその後の時間の経過により、どのようにムービー１０１の地面撮り許可状態が変化するかをタイミング・チャートの形で表したものである。
【００５０】
図１６は、時刻ｔ１３において、撮影者がムービー１０１の録画状態を停止状態に変更し、撮影を終了したこと、そして時刻ｔ１３から時間Ｔｏｕｔ２が経過し、時刻ｔ１４となったことを表している。地面撮り防止機能抑止判定部１０７は、地面撮り許可状態となったムービー１０１がどれだけの時間、停止状態を継続しているかを監視しており、ある一定の時間（本実施の形態ではＴｏｕｔ２）継続して停止状態であった場合には、ムービー１０１を再度地面撮り禁止の状態にし、地面撮りＯＮ／ＯＦＦ制御部１０８に地面撮り防止機能ＯＮを通知する。
【００５１】
このように、本実施の形態では、撮影者が地面撮り許可状態のムービー１０１を撮影録画終了後、地面撮り許可状態でそのまま一定の時間放置すると、自動的にムービー１０１の地面撮り許可の状態はキャンセルされ、地面撮り禁止の状態に復帰する。これにより撮影者が、撮影終了後に地面撮り許可の状態を地面撮り禁止の状態に戻すことを忘れてしまっても、ムービー１０１が地面撮り許可の状態のままになってしまうことがないフェイルセーフとなっている。
（実施の形態３）
実施の形態１及び実施の形態２において、地面撮り許可および禁止の設定は、ボタン操作により許可と禁止とが順次切り替わる形態である。本実施の形態では、特定の操作を行うことによって、地面撮り許可あるいは禁止のいずれか一方の設定を常に行う。
【００５２】
本実施の形態では、録画ボタンの２段目押下を用いて、地面撮り許可の設定を行う。図１７は、地面撮り防止機能抑止指示部１０６の制御アルゴリズムを示したものである。地面撮り防止機能抑止指示部１０６は、ステップ７２１でムービー１０１の録画ボタン２段目が押下されているか否かを判定し、押されていなかった場合には再度ステップ７２１に戻り、押されていた場合にはステップ７２２により、ムービー１０１が停止状態にあるか否かを判定し、停止状態でなかった場合には再度ステップ７２１に戻り、停止状態であった場合にはステップ７２３により、ムービー１０１が地面撮り許可の状態にあるか否かを判定する。判定した状態が地面撮り許可の状態でない場合は、地面撮り防止機能抑止判定部１０７に地面撮りの許可を通知し（ステップ７２４）、地面撮り許可状態であることを撮影者に通知する（ステップ７２６）一方、地面撮り許可の状態である場合には、ステップ７２１に戻る。
【００５３】
このように、本実施の形態では、操作時の状態が地面撮り許可か禁止かいずれの状態であるかを意識することなく、録画ボタン２段目の押下により、常に地面撮り許可の設定を行うことができ、撮影者の操作ミスを低減することができる。
【００５４】
なお、これまでの実施の形態においては、本発明の映像記録装置についてムービーを用いて説明したが、これに限るものではなく、カメラ等であってもよい。
【産業上の利用可能性】
【００５５】
以上のように、本発明による地面撮り防止機能を備えるムービーは、撮影者があえて地面撮り姿勢での撮影を行う際に、撮影開始に先立ってムービーを地面撮り許可状態にするだけで良く、撮影中に撮影者の手を煩わせることが無く、しかも撮影後に地面撮り許可状態を終了させるための操作を忘れてしまっても一定時間後に自動的に地面撮り禁止状態に復帰するフェイルセーフとなっており、各種映像記録装置において有用である。本発明は特に簡便な操作が要求される地面撮り禁止ムービーに用いるのに適している。
【図面の簡単な説明】
【００５６】
【図１】本発明の一実施の形態における映像記録装置の構成を示す図
【図２】従来の地面撮り防止機能を備える映像記録装置の構成を示す図
【図３】従来の構成における地面撮り防止部のフローチャート
【図４】従来の構成における記録部のフローチャート
【図５】従来の構成における停止状態からの姿勢変化による動作の変化を示す図
【図６】従来の構成における録画状態からの姿勢変化による動作の変化を示す図
【図７】本発明の一実施の形態における地面撮り防止機能抑止指示部のフローチャート
【図８】本発明の一実施の形態における地面撮り防止機能抑止判定部のフローチャート
【図９】本発明の一実施の形態における地面撮りＯＮ／ＯＦＦ制御部のフローチャート
【図１０】本発明の一実施の形態における停止状態からの操作による地面撮り状態の変化を示す図
【図１１】本発明の一実施の形態における姿勢変化による動作の変化を示す図
【図１２】本発明の一実施の形態における所定時間経過による動作の変化を示す図
【図１３】本発明の他の実施の形態における地面撮り防止機能抑止指示部のフローチャート
【図１４】本発明の他の実施の形態における地面撮り防止機能抑止判定部のフローチャート
【図１５】本発明の他の実施の形態における所定時間経過による地面撮り状態の変化を示す図
【図１６】本発明の他の実施の形態における所定時間経過による動作の変化を示す図
【図１７】本発明の他の実施の形態における地面撮り防止機能抑止指示部のフローチャート
【符号の説明】
【００５７】
１０１  ムービー
１０２  撮像部
１０３  映像データ作成部
１０４  記録部
１０５  地面撮り防止部
１０６  地面撮り防止機能抑止指示部
１０７  地面撮り防止機能抑止判定部
１０８  地面撮りＯＮ／ＯＦＦ制御部
２０１  ムービー
２０２  撮像部
２０３  映像データ作成部
２０４  記録部
２０５  地面撮り防止部
【図１】
2007221519.tif 000003
【図２】
2007221519.tif 000004
【図３】
2007221519.tif 000005
【図４】
2007221519.tif 000006
【図５】
2007221519.tif 000007
【図６】
2007221519.tif 000008
【図７】
2007221519.tif 000009
【図８】
2007221519.tif 000010
【図９】
2007221519.tif 000011
【図１０】
2007221519.tif 000012
【図１１】
2007221519.tif 000013
【図１２】
2007221519.tif 000014
【図１３】
2007221519.tif 000015
【図１４】
2007221519.tif 000016
【図１５】
2007221519.tif 000017
【図１６】
2007221519.tif 000018
【図１７】
2007221519.tif 000019